(57)【要約】【課題】本発明が解決しようとする課題は、配線又はホース等に歪みを与えることなく保持する配線・ホース保持具を提供することである。【解決手段】本発明による配線・ホース保持具は、配線又はホースを保持する応力を緩和する幅広部を有するもので、一つ目は、これより幅の狭いタイラップバンドの任意の位置に付けて使用する配線・ホース保持具であり、２つ目は、配線・ホース保持具自体に保持するための係合部と配線又はホースを保持する保持溝を有している【選択図】図１
2009250289.tif 000002
【特許請求の範囲】
【請求項１】
配線またはホースを結わえるための帯を通すための帯通し穴を表面に有するクッション性の幅広パッドであることを特徴とする配線又はホース保持具。
【請求項２】
前記幅広パッドを１面として、他の面との間で前記配線またはホースを挟むためのＵ字型の保持溝を有したことを特徴とする請求項1記載の配線又はホース保持具。
【請求項３】
配線またはホースを挟むためのＵ字型の保持溝を有した幅広パッドの1面の端に取り付け用のフック、又は、前記幅広パッドの表面に取り付け用の粘着体又はゴム磁石体を有することを特徴とする配線又はホース保持具。
【請求項４】
配線またはホースを挟むための縦又は／及び横方向に配した保持溝と、前記保持溝を有する面とは反対側の面に取り付け用の粘着体又はゴム磁石体とを有することを特徴とする配線又はホース保持具。
【請求項５】
前記帯通し穴に挿通してタイラアップバンドを有することを特徴とする請求項１又は請求項２記載の配線又はホース保持具。
【発明の詳細な説明】
【技術分野】
【０００１】
本発明は、電線（電気コード）、ワイヤ、ケーブルなどの配線又は水、エアのホースを歪みを与えることなく保持するための配線又はホース保持具に関するものである。
【背景技術】
【０００２】
工事現場などでは、電線やエアのホースなどを単管や柱に結びつけて保持していることが
よく見かけることである。結わえる道具としては、番線や、以下の結束具が用いられている。図５は、従来から用いられてきた結束具である。５−Ａ（特許文献１）は、ギザギザの凹凸を持つ細い帯の先端に噛み合い固定部をもつ所謂タイラップバンドであり、このような細いバンドで配線・ホースを保持した場合は配線・ホースに細い押さえ部の歪みが係り、配線・ホースが損傷を受けやすい。５−Ｂ（特許文献２）では、５−Ａのタイラップバンドの一部に幅広部を設けているものである。幅広部で配線・ホースを押さえれば、歪みによる損傷は少なくなるが、幅広部が固定されているので、押さえるところの自由度が無い欠点がある。この構造で幅広のタイラップバンドは、材料が多く必要となり、製造でも取り数も少なくなる欠点がある。５−Ｃ（特許文献３）、５−Ｄ（特許文献４）は、全体が幅広のバンドで歪みが少ないが、この構造では外れやすい欠点がある。
【特許文献１】特開平７−２８６６０７
【特許文献２】特開平９−４０００４
【特許文献３】特開２００１−１９０２５
【特許文献４】特開２００１−２２５８６１
【発明の開示】
【発明が解決しようとする課題】
【０００３】
上記のような事情から、解決しようとする課題は、配線又はホース等に歪みを与えることなく保持する配線又はホース保持具を提供することである。
【課題を解決するための手段】
【０００４】
上記の課題を解決するための手段として、本発明による配線又はホース保持具は、配線又はホースを保持する応力を緩和する幅広部を有するもので、一つ目は、これより幅の狭いタイラップバンドの任意の位置に付けて使用する配線又はホース保持具であり、２つ目は、配線又はホース保持具自体に保持するための係合部と配線又はホースを保持する保持溝を有している配線又はホース保持具であり、以下、請求項に沿って説明する。
【０００５】
請求項１記載の発明は、配線又はホース保持具であって、配線またはホースを結わえるための帯を通すための帯通し穴を表面に有するクッション性の幅広パッドであることを特徴とする。これにより、配線またはホースを歪無く他の物に結わえることが出来る。
【０００６】
請求項２記載の発明は、請求項1記載の配線又はホース保持具において、前記幅広パッドを１面として、他の面との間で前記配線またはホースを挟むためのＵ字型の保持溝を有したことを特徴とする。これにより配線またはホースを外れなく保持できる。
【０００７】
請求項３記載の発明は、配線又はホース保持具であって、配線またはホースを挟むためのＵ字型の保持溝を有した幅広パッドの1面の端に取り付け用のフック、又は、前記幅広パッドの表面に取り付け用の粘着体又はゴム磁石体を有することを特徴とする。これにより配線またはホースを外れなく保持できる。
【０００８】
請求項４記載の発明は配線又はホース保持具であって、配線またはホースを挟むための縦又は／及び横方向に配した保持溝と、前記保持溝を有する面とは反対側の面に取り付け用の粘着体又はゴム磁石体とを有することを特徴とする。これにより配線またはホースを外れなく保持できる
【０００９】
請求項５記載の発明は、請求項１又は請求項２記載の配線又はホース保持具において、前記帯通し穴に挿通してタイラアップバンドを有することを特徴とする。これにより、他のものに結わえることを達成できる。
【００１０】
【発明の効果】
【００１１】
以上のように構成されているので、本発明による配線又はホース保持具では、配線又はホースを保持する際の応力を幅広の帯で押さえることで緩和し損傷を防ぐことができる。１つ目の例は、市販のタイラップバンドに付けてどの位置でも使用できる。２つ目の例は、それ自体に係合部があり、簡単に他のものに付けることができ、配線又はホースを保持溝で応力緩和状態で保持することができる。
【発明を実施するための最良の形態】
【００１２】
本発明による配線又はホース保持具は、一つ目は、応力緩和（クッション）性の幅広パッドであり、タイラップバンドに通す帯通し穴を有するものであり、二つ目は、応力緩和（クッション）性の幅広パッドに他のものに付けるための係合部を有するものであり、更に両者とも配線又はホースを保持する保持溝を有することが可能である。
以下、実施例を用い本発明の提案を説明する。
【００１３】
図１は、本発明による配線又はホース保持具の一実施態様を示す図である。１−Ａは、応力緩和（クッション）性の幅広パッド１０１であり、例えば、軟質性のビニル樹脂や、ゴムなどで作ると好都合である。幅広パッド１０１には、タイラップバンドを通す帯通し穴１０２が開いているので、この穴にタイラップバンドを通して、幅広パッド１０１で配線又はホースを押さえて、タイラップバンドで縛りつけることができる。１−Ｂは、帯通し穴１０２を有する幅広パッド１０３Ａが配線又はホースを保持する保持溝１０４を有するようにＵ字型になるように折り返しした幅広パッド１０３Ｂを有するものである。保持溝１０４に配線又はホースを挟み保持するようになっている。
【００１４】
図２は、本発明による配線又はホース保持具の他の一実施態様を示す図である。図２では、他のものに付設するためにタイラップバンドを不要とし、配線又はホース保持具自体が係合部を有しているものである。２−Ａは、幅広パッド２０３Ａが配線又はホースを保持する保持溝２０４を有するようにＵ字型に折り返した幅広パッド２０３Ｂを有するものである。保持溝２０４に配線又はホースを挟み保持するようになっている。更にこれを他のものに付けるためのフックによる掛け具２０６を有している。２−Ｂでは、掛け穴を有する掛け具２０６を有している。２−Ｃでは、掛け具自体が幅広パッド２０３Ａ、２０３Ｂに付いた粘着体又はゴム磁石体２０８を有している。２−Ｄは、配線又はホースを保持する保持溝２０９を有する幅広パッド２１０と保持溝２０９とは反対側の面に粘着体又はゴム磁石体２１１を有している。尚、２−Ａ、２−Ｂ、２−Ｃには、幅広パッドを押さえる留め具２１２を有すると配線又はホースを外れないようにできて好都合である。
【００１５】
図３は、図１の本発明による配線又はホース保持具をつけたタイラップバンドを示す図である。配線又はホース保持具はタイラップバンドの任意の位置に付けることができる。
図４は、本発明による配線又はホース保持具をつけたタイラップバンドと２−Ｃの配線又はホース保持具の使用状態を示す図である。４−Ａは、１−Ｂの配線又はホース保持具４０１をつけたタイラップバンド４０２で単管４０３に配線４０４を保持溝４０５に通し保持している状態を示す。４−Ｂは、２−Ｃの配線又はホース保持具で配線４０４を保持溝４０５に通し、直角に曲がった壁面に保持している状態を示す。このように、幅広パッドは、応力緩和に加え、屈曲性を有することが好ましい。
【産業上の利用可能性】
【００１６】
以上の様に、本発明による配線又はホース保持具は、単管、直角の屈曲面などに配線又はホースを押さえの応力を緩和して保持できるので損傷の恐れを回避でき、作業現場などで利用して好都合であるので、産業上大きな利用性を有している。
【図面の簡単な説明】
【００１７】
【図１】本発明による本発明による配線又はホース保持具の一実施態様を示す図である。
【図２】本発明による配線又はホース保持具の他の一実施態様を示す図である。
【図３】図１の本発明による配線又はホース保持具をつけたタイラップバンドを示す図である。
【図４】本発明による配線又はホース保持具をつけたタイラップバンドと２−Ｃの配線又はホース保持具の使用状態を示す図である。
【図５】従来から用いられてきた結束具である。
【符号の説明】
【００１８】
１０１、１０３Ａ、１０３Ｂ、２０３Ａ、２０３Ｂ、２１０  幅広パッド
１０２  帯通し穴
１０４、２０４、２０９、４０５  保持溝  
２０６  掛け具
２０８、２１１  粘着体又はゴム磁石体
２１２  留め具
４０１  配線又はホース保持具
４０２  タイラップバンド
４０３  単管
４０４  配線
【図１】
2009250289.tif 000003
【図２】
2009250289.tif 000004
【図３】
2009250289.tif 000005
【図４】
2009250289.tif 000006
【図５】
2009250289.tif 000007